(57)【特許請求の範囲】
【請求項１】
ウイルスを内側から外側に通過させない材料で構成し、検査対象者の肺活量程度の容量がある袋本体と、前記袋本体に形成された、検査用綿棒が挿入出来る最低限の大きさを有する検査用綿棒挿入孔を備え、前記袋本体に、袋口部分から袋底部分の方向に４ｃｍ以上離れた位置に前記検査用綿棒挿入孔を設置する事を特徴とする鼻咽頭検体採取時に用いる感染防止袋。
【請求項２】
ウイルスを内側から外側に通過させない材料で構成し、検査対象者の肺活量程度の容量がある袋本体と、前記袋本体に形成された、検査用綿棒が挿入出来る最低限の大きさを有する検査用綿棒挿入孔を備え、前記袋本体に前記検査用綿棒挿入孔の位置を示す目印を設置する事を特徴とする鼻咽頭検体採取時に用いる感染防止袋。
【請求項３】
ウイルスを内側から外側に通過させない材料で構成し、検査対象者の肺活量程度の容量がある袋本体と、前記袋本体に形成された、検査用綿棒が挿入出来る最低限の大きさを有する検査用綿棒挿入孔を備え、前記袋本体に、前記検査用綿棒挿入孔の位置を示す目印にはがせるシールを設置する事を特徴とする事を特徴とする鼻咽頭検体採取時に用いる感染防止袋。
【請求項４】
袋本体が、ビニール、ポリエチレン等の合成樹脂製材料で構成される事を特徴とする請求項１から３のいずれかに記載の鼻咽頭検体採取時に用いる感染防止袋。
【請求項５】
袋本体が、光透過性のある材質で構成される事を特徴とする請求項１から４のいずれかに記載の鼻咽頭検体採取時に用いる感染防止袋。
【請求項６】
袋本体が、1600cc以上の容量がある事を特徴とする請求項１から５のいずれかに記載の鼻咽頭検体採取時に用いる感染防止袋。
【請求項７】
袋本体に、逆止弁機構を備えた検査用綿棒挿入孔を設置する事を特徴とする請求項１から６のいずれかに記載の鼻咽頭検体採取時に用いる感染防止袋。
【請求項８】
袋本体の内側であって検査用綿棒挿入孔に対応する箇所に簡易飛沫飛散防止弁（９）を設置する事を特徴とする請求項１から６のいずれかに記載の鼻咽頭検体採取時に用いる感染防止袋。
【請求項９】
袋本体に、検査用綿棒挿入孔の位置を示す目印を設置する事を特徴とする請求項１、請求項４から８のいずれかに記載の鼻咽頭検体採取時に用いる感染防止袋。
【請求項１０】
袋本体に、検査用綿棒挿入孔の位置を示す目印にはがせるシールを設置する事を特徴とする請求項１、請求項４から９のいずれかに記載の鼻咽頭検体採取時に用いる感染防止袋。
【請求項１１】
袋本体に、顔に固定する為の構造を設置する事を特徴とする請求項１から１０のいずれかに記載の鼻咽頭検体採取時に用いる感染防止袋。
【請求項１２】
鼻咽頭検体採取時に、請求項１から１１のいずれかに記載の鼻咽頭検体採取時に用いる感染防止袋を用いた鼻咽頭検体採取方法。
【発明の詳細な説明】
【技術分野】
【０００１】
本発明は、本発明は鼻咽頭検体採取時に患者に装着する感染予防袋に関するものである
【背景技術】
【０００２】
インフルエンザ、コロナウイルス等の感染検査では検体採取に鼻咽頭に採取用の綿棒を入れる方法が用いられる。
【０００３】
しかし、鼻咽頭に綿棒を入れられる為患者が咳やくしゃみをして採取作業をする医師が飛沫を浴び感染するという問題があった。
【０００４】
この改善策として、マスク本体に、装用者の鼻と口の対応個所又はそれらの近傍の 個所に対応して透明部を構成すると共に、他の個所に 通気フィルを構成し、透明部孔を開け棒体の通過可能とした診察・診断用マスクが提案された。
【先行技術文献】
【特許文献】
【０００５】
【特許文献１】特開２０１１−１２０６４７号公報
【発明の概要】
【発明が解決しようとする課題】
【０００６】
解決しようとする問題点は、上記マスクは構造が複雑な為マスクを量産する事が困難である為パンデミック等で多くの患者を検査しなければならない場合医療機関に必要数を提供できない点、検査中にくしゃみが出た場合マスク正面方向に対して飛沫は飛散しないがマスクと顔の隙間から飛沫が飛散し室内を汚染する点、またコロナウイルス等非常に小さいウイルスはマスク正面方向のフィルターを通過してしまう点である。
【課題を解決するための手段】
【０００７】
本発明は、検体採取時に患者に装着させる、検体採取綿棒が通過する孔の開いた袋を最も主要な特徴とする。
【発明の効果】
【０００８】
本発明の検体採取時に用いる感染防止袋は、検体採取用綿棒を通過させる孔とウイルスを通過できない素材で構成された袋を患者に装着させる事で咳、くしゃみをした際に周りに飛散すること無く医師の二次感染を抑制する効果があるという利点と簡易な構造なので安く簡易に大量生産出来る利点がある。
【図面の簡単な説明】
【０００９】
【図１】図１は本発明における検体採取時に用いる感染防止袋実施方法を示した図である。
【図２】図２は本体正面図である。
【図３】図３は本体底面図である。
【図４】図４は側面図である。
【図５】図５は逆止弁を用いた正面図である。
【図６】図６は本体に開けた孔と飛沫飛散防止弁の図である。
【図７】図７は簡易飛沫飛散防止弁を付けた本体正面図である。
【発明を実施するための形態】
【００１０】
以下、本発明を実施する為の最良の形態について説明する。
【００１１】
図１は本発明における検体採取時に用いる感染防止袋実施方法を示す図である。袋本体１は袋の形状を持つ事を特徴としている。理由は検査時に鼻咽頭内に検査棒を挿入した時に出る咳、くしゃみで排出される感染した飛沫を袋の外に出さない為である。１回のくしゃみの最大容量は肺活量以上にはならない。同時に一般的に成人男女肺活量は３０００ccから４５００ccである事が知られている。この２点と材料費、運搬、廃棄にかかる手間を考慮すると袋本体の容量は３０００cc以上５０００cc以下が望ましい。また同様に小学生男女肺活量は１６００ccから１８５０ccである事から子供専用の袋本体の容量は１６００cc以上２０００cc以下が望ましい。
【００１２】
本体の材質については、ウイルスを袋本体１の内側から外側に通過させない材質、ビニール、ポリエチレン等の合成樹脂の材料が最適である。また、検体採取作業の効率を上げる為、鼻咽頭を目視出来る透過性のある材質が最適である。
【００１３】
検査採取用綿棒３が通過する孔２の大きさは、検査採取用綿棒３の大きさによる。孔２は検査する綿棒のサイズに合わせてできるだけ小さくすべきである。これは患者６がくしゃみをした時に孔２からウイルスが飛散する確率が高い為である。
【００１４】
円形の孔は小さくとも内部の空気の圧力で飛沫が飛ぶ可能性がある為、例えば円状の孔ではなく袋に検査採取用綿棒３が通過する切り目を入れても良い。切り目の形は図３の孔２に示した様に直線に限らない。検査採取用綿棒３が通過すれば孔２の形状は線状ではなく例えばY字、十字の切り目であっても良い。
【００１５】
孔２からの飛沫飛散を防止する為に図５に示した様に孔２に逆止弁８を用いれば検査採取用綿棒３を抜いた後にくしゃみをした場合も飛沫飛散の可能性をより下げる事ができる。
【００１６】
逆止弁８よりも簡易な方法を示す。図６において上部は本体袋外部、下部は本体袋内部、右側は袋口側の顔をあてがう患者側を示しているが袋本体１内側に孔２を塞ぐ簡易飛沫飛散防止弁９を袋口側のみ貼り付け固定する為に簡易飛沫飛散防止弁９を袋口側の貼り付け箇所１０に貼り付け、簡易飛沫飛散防止弁９の袋底側は固定せず自由にする。その結果検査用綿棒３が未挿入時は勿論、挿入時は、簡易飛沫飛散防止弁９がくしゃみによって袋本体１内側に発生する孔２から出ようとする空気の流れを妨げ孔２からのウイルスの飛散を減らす事ができる。
【００１７】
孔２の位置であるが図２本体正面図で説明すると顔にあてがう袋口部分から袋底部分の方向に４ｃｍ以上距離を取る事が望ましい。検体採取作業は、鼻咽頭のそれぞれ採取しようとする穴の位置と袋本体１の孔２が重なることが出来ない時に阻害される為、袋口部分からの距離は重要である。また、ビニール、ポリエチレン等の合成樹脂製の材料を使う場合本体袋は柔軟性がある為、顔にあてがう袋口部分と孔２の距離が４ｃｍ以上の距離で袋底部近くにあっても５000cc程度の袋であれば検体採取作業に支障をきたさない。
【００１８】
孔２は、前述した様にごく小さい為に見つけにくいので孔の位置を示す目印４を付ける事が望ましい。目印４は印刷でも良いが、孔２を塞ぐ容易にはがせるシール等を孔２に貼り位置を示しても良い。
【００１９】
袋本体１に孔２を開ける際に、製造過程を簡易にする為に袋本体１に穴あけパンチ等で袋本体を貫通して開ける事がある。この時複数の孔が開く事があるがその場合は各孔２にはがせるシールを貼ることが望ましい。
【００２０】
図１、図２，図４、図５の袋本体１は、顔に装着する為の耳掛けを付けた構造を示しているが顔に装着する為の構造５は、患者６が検体採取時に袋本体１を両手で持つ事が出来れば必ずしも必要では無い。しかし、手が不自由の方を検査する場合やくしゃみをした時に手を離しウイルスが飛散する事を防止する為には必要である。袋を顔に装着する為の構造は袋を顔に固定出来れば仕組みは自由である。
【符号の説明】
【００２１】
１    袋本体
２    孔
３    検査採取用綿棒
４    孔の位置を示す目印
５    マスクを顔に装着する為の構造
６    患者
７    マチ（襠）
８    逆止弁
９    簡易飛沫飛散防止弁
１０    貼り付け箇所
【要約】
【課題】インフルエンザ、コロナウイルス等の検体採取において鼻咽頭検体採取時に鼻咽頭に綿棒を入れられる事で患者が起こす咳やくしゃみで生じる飛沫感染から検査者を守る。
【解決手段】インフルエンザ等のウイルス検査時に、検査用綿棒が通過出来る孔を備える袋で患者の鼻と口を覆い、袋の表面から鼻咽頭に前記孔を通し綿棒を挿入し検体を採取する事で検査時に出るくしゃみ、咳で飛散する飛沫が袋の内部から出る事を防ぎ検査する医師への感染を防ぐ事ができる。
【選択図】図１【図１】
0006850385.tif 000002
【図２】
0006850385.tif 000003
【図３】
0006850385.tif 000004
【図４】
0006850385.tif 000005
【図５】
0006850385.tif 000006
【図６】
0006850385.tif 000007
【図７】
0006850385.tif 000008